(57)【要約】      （修正有）【課題】消火剤放出機構の機構枠体からはみ出る放出レバーの部分を一度握るとロック状態となり、後は持っているだけで消火剤を全量放出できるために、高齢者等のように指圧，握力の小さい者でも身体的負担がなく，初期消火に使用できる家庭用消火器具を得る。【解決手段】消火剤貯蔵容器１の口金１ａに固着した機構枠体３と、その内部に降下可能に装入した逆Ｌ字状の放出管５とを備え、かつ放出管５が押し下げられるとその下端口６が消火剤貯蔵容器１のバルブ部２を押し開いて消火剤が側方に向けて放出するようにしたもので、上方を支点として下方側が前後に揺動する放出レバー１４を逆Ｌ字状の放出管５のＬ字内側に位置するように機構枠体３内に前後に揺動可能に装入し、かつ使用（放出）時にこの放出レバー１４が握られると放出管５を押し下げると共にこの握りしめた位置では自身の突起１８が機構枠体３に係止してレバーロック状態になるようにしてなる。【選択図】図１
2006149903.tif 000002
【特許請求の範囲】
【請求項１】
消火剤貯蔵容器の口金に固着した機構枠体と、この機構枠体の内部に降下可能に装入した逆Ｌ字状の放出管とからなる消火剤放出機構を備え、かつ前記放出管が押し下げられるとこの放出管の下端口が消火剤貯蔵容器のバルブ部を押し開いて前記放出管の先端口から消火剤が側方に向けて放出するようにした家庭用消火器具において、
上方を支点として下方側が前後に揺動する放出レバーを前記逆Ｌ字状の放出管のＬ字内側に位置するように前記機構枠体内に前後に揺動可能に装入し、かつ使用（放出）時にこの放出レバーが握られると前記放出管を押し下げると共にこの握りしめた位置では自身の突起が前記機構枠体に係止してレバーロック状態になるようにしたことを特徴とする家庭用消火器具。
【請求項２】
放出レバーを上下に長く延ばして形成したことを特徴とする請求項１記載の家庭用消火器具。
【発明の詳細な説明】
【技術分野】
【０００１】
本発明は、家庭での天ぷら油やくずかご等の火災を初期消火するのに使用するもので、エアゾール式簡易消火具で代表される家庭用消火器具に関するものである。
【背景技術】
【０００２】
従来のこの種の家庭用消火器具は、例えば特開平４−２８３７９号公報にあるエアゾール式簡易消火具から明らかなように、その構造，動作は周知のことであるので、ここではその説明を省略する。
【特許文献１】特開平４−２８３７９号公報
【発明の開示】
【発明が解決しようとする課題】
【０００３】
解決しようとする問題は、使用（放出）時に従来のようなボタン（９）であると指一本でボタン（９）を押し続けなければ，あるいはトリガー式のものではトリガーの操作レバーを指一本で握り続けなければ放出が止まるので、高齢者等のように指圧，握力の小さい者には身体的負担が大きいために、ずっと押し続け，握り続けて放出することができず、そのために消火剤の全量放出による十分な消火能力を得ることが難しくなるばかりか，初期消火にならないという点である。
【課題を解決するための手段】
【０００４】
請求項１の発明は、消火剤貯蔵容器の口金に固着した機構枠体と、この機構枠体の内部に降下可能に装入した逆Ｌ字状の放出管とからなる消火剤放出機構を備え、かつ前記放出管が押し下げられるとこの放出管の下端口が消火剤貯蔵容器のバルブ部を押し開いて前記放出管の先端口から消火剤が側方に向けて放出するようにしたものにおいて、上方を支点として下方側が前後に揺動する放出レバーを前記逆Ｌ字状の放出管のＬ字内側に位置するように前記機構枠体内に前後に揺動可能に装入し、かつ使用（放出）時にこの放出レバーが握られると前記放出管を押し下げると共にこの握りしめた位置では自身の突起が前記機構枠体に係止してレバーロック状態になるようにしたことを特徴とする。
【０００５】
請求項２の発明は、請求項１において放出レバーを上下に長く延ばして形成したことを特徴とする。
【発明の効果】
【０００６】
請求項１の発明は、消火剤放出機構の機構枠体からはみ出る放出レバーの部分を一度握ると、この放出レバーが握りしめた位置でロック状態となるので、放出レバーの操作は一回で良く，後は持っているだけで消火剤を全量放出できるために、高齢者等のように指圧，握力の小さい者でも身体的負担がなく，初期消火に使用できるという効果がある。
【０００７】
請求項２の発明は、放出レバーが上下に長く延びているので、２〜３本の指が放出レバーに掛かり、２〜３本の指で握り操作ができるために、高齢者等のように指圧，握力の小さい者でもより簡単かつ楽に操作ができるようになるという効果がある。
【発明を実施するための最良の形態】
【０００８】
機構枠体の内部に消火剤放出機構を備え、前記機構枠体内に放出レバーを設け、この放出レバーを握るとレバーロック状態となって消火剤を放出できるようにすることにより、実現した。
【実施例】
【０００９】
本発明の一実施例を図１〜図４を用いて説明する。図１は常時の状態を示す縦断側面図、図２は図１からロックを解除した状態を示す縦断側面図、図３は図２から放射した状態を示す縦断側面図、図４は図３を前方からみた図である。
【００１０】
図において、１はエアゾール缶の如き消火剤貯蔵容器、２は消火剤貯蔵容器１の口金１ａに突出しかつ押し込むことにより消火剤が噴出するバルブ軸（部）、３は消火剤貯蔵容器１の口金１ａに固着される基部３ａとこの基部３ａに立設されるアーチ枠部３ｂとからなる機構枠体、４は機構枠体３の基部３ａの中心に設けられてバルブ軸（部）２を覆う縦筒、５は機構枠体３内に前後に揺動可能に装入されかつ下端口６が縦筒４に挿入される縦管部５ａと前方先端口７が機構枠体３の目詰り防止カバー部８に当接する横管部５ｂとからなる逆Ｌ字状の放出管、９は放出管５を常時縦方向に押し下げるスプリング、１０は機構枠体３内の放出管５の後方に下部１０ａを支点として上方が前後に揺動するように装入されかつ上部後面の押しボタン部１０ｂが機構枠体３の後面に突出するロック部材、１１はロック部材１０に設けられて放出管５の凸部１２を下から受け止める受止バー、１３は機構枠体３の内面に設けられてロック部材１０の前面を前方から止める爪、１４は機構枠体３内の放出管５の前方，つまり放出管５のＬ字内側に上部（図示せず）を支点として下方が前後に揺動するように装入される放出レバー、１５は放出レバー１４の後面に突設されかつ放出管５の縦管部５ａを押し下げるためのカム面１５ａを有する駆動部、１６は放出管５の縦管部５ａに設けられかつ駆動部１５のカム面１５ａにより駆動されてガイド１７に沿って降下する被駆動部材、１８は放出レバー１４の下面に設けた突起で、機構枠体３の基部３ａの穴に係止してレバーロック状態を構成するようになっている。
【００１１】
図１に示す常時の状態では、ロック部材１０の前面上端が爪１３に係止してロック部材１０がアーチ枠部３ｂに固定されているので、放出管５は凸部１２が受止バー１１により受け止められることにより降下しないし、また放出レバー１４は駆動部１５が被駆動部材１６により後方への揺動（握り込み方向）を阻止されることにより握りしめられない。つまり、この状態では、ロック部材１０によって放出管５と放出レバー１４が固まり、放出レバー１４の操作ができない状態に保持されている。
【００１２】
図２に示すロック解除の状態では、ロック部材１０の押しボタン部１０ｂが押し込まれてロック部材１０の前面上端が爪１３から外れて前方に揺動することにより受止バー１１が凸部１２から外れているので、スプリング９の力で放出管５が少し降下してその下端口６がバルブ軸（部）２上に乗っかった状態になっている。つまり、この状態では、放出レバー１４はいつでも操作可能な状態にある。
【００１３】
図３，図４に示す放射の状態では、放出レバー１４が握りしめられてそのカム面１５ａにより被駆動部材１６，つまり放出管５が押し下げられることによりその下端口６でバルブ軸（部）２を押し開いているので、消火剤貯蔵容器１内の消火剤が放出管５を通ってその先端口７から放射する。
【００１４】
今、使用時には、図１に示す常時の状態において、押しボタン部１０ｂを矢印１９の方向に押すと、このときロック部材１０の前面上端が爪１３から外れるほどに押し込むと、図２に示すロック解除の状態になっていつでも放射できる状態になるので、後は放出レバー１４を握りしめれば図３，図４に示すように前方の先端口７から消火剤が放射する。
【００１５】
この放射状態では、放出レバー１４の突起１８が基部３ａの穴に係止して放出レバー１４が戻らないので、放出レバー１４はレバーロック状態となる。後は放出レバー１４を握る必要がなく，消火剤貯蔵容器１を持っているだけで全量放射できるので、高齢者等のように指圧，握力の小さい者でも身体的負担がなく，初期消火に使用できる。
【００１６】
また、図示するように放出レバー１４が上下に長く延びているので、２〜３本の指が放出レバー１４に掛かり、２〜３本の指で放出レバー１４を握ってレバー操作ができるために、高齢者等のように指圧，握力の小さい者でもより簡単かつ楽にレバー操作ができるようになる。
【産業上の利用可能性】
【００１７】
本発明は、家庭での天ぷら油やくずかご等の火災を初期消火するのに使用するエアゾール式簡易消火具に広く活用できる。
【図面の簡単な説明】
【００１８】
【図１】本発明の一実施例を示す常時状態の縦断側面図である。
【図２】図１からロックを解除した状態を示す縦断側面図である。
【図３】図２から放射した状態を示す縦断側面図である。
【図４】図３を前方からみた図である。
【符号の説明】
【００１９】
１：消火剤貯蔵容器
１ａ：消火剤貯蔵容器１の口金
２：バルブ軸（部）
３：機構枠体
３ａ：機構枠体３の基部
３ｂ：機構枠体３のアーチ枠部
４：縦筒
５：放出管
５ａ：放出管５の縦管部
５ｂ：放出管５の横管部
６：放出管５の下端口
７：放出管５の先端口
８：機構枠体３の目詰り防止カバー部
９：スプリング
１０：ロック部材
１０ａ：ロック部材１０の下部
１０ｂ：ロック部材１０の押しボタン部
１１：受止バー
１２：放出管５の凸部
１３：爪
１４：放出レバー
１５：駆動部
１５ａ：駆動部１５のカム面
１６：被駆動部材
１７：ガイド
１８：突起
【図１】
2006149903.tif 000003
【図２】
2006149903.tif 000004
【図３】
2006149903.tif 000005
【図４】
2006149903.tif 000006